(57)【要約】      （修正有）【課題】内視鏡装置、特に、ビデオスコープが接続されるプロセッサのタッチパネルの機能選択画面において、使用したい機能を速やかに選択できるようにする。【解決手段】タッチパネル付のディスプレイを設けたプロセッサにおいて、カスタマイズ画面（機能設定画面）８０Ｓに複数の機能インジケータＦ１〜Ｆ１０が表示される。機能設定画面では、登録されたユーザに応じて、優先度の高い（使用頻度の高い）機能インジケータが１ページ目に表示される。【選択図】図１１
2019058501.tif 000002
【特許請求の範囲】
【請求項１】
タッチパネルを設けたディスプレイと、
表示する機能インジケータをユーザによって変更可能な機能設定画面を前記ディスプレイに表示するとともに、機能設定画面に設定可能な複数の機能インジケータを並べた機能選択画面を表示可能な表示処理部とを備え、
前記表示処理部が、機能選択画面において、ユーザに応じて、複数の機能インジケータの並び順を変えることを特徴とする内視鏡装置。
【請求項２】
タッチパネルを設けたディスプレイと、
表示する機能インジケータをユーザによって変更可能な機能設定画面を前記ディスプレイに表示するとともに、機能設定画面に設定可能な複数の機能インジケータを並べた機能選択画面を表示可能な表示処理部とを備え、
前記表示処理部が、機能選択画面において、患者とその患者の症状に応じて、複数の機能インジケータの並び順を変えることを特徴とする内視鏡装置。
【請求項３】
機能設定画面に設定された回数を各機能インジケータに対してカウントする記録部をさらに備え、
前記表示処理部が、カウント数に応じて、複数の機能インジケータの優先度を定め、優先度の高い方順に表示することを特徴とする請求項１又は２に記載の内視鏡装置。
【請求項４】
前記表示処理部が、複数の機能インジケータを複数ページに渡って表示し、優先度の高い機能インジケータを１ページ目に表示することを特徴とする請求項１乃至３のいずれかに記載の内視鏡装置。
【請求項５】
タッチパネルを設けたディスプレイに対し、表示する機能インジケータをユーザによって変更可能な機能設定画面を表示するとともに、機能設定画面に設定可能な複数の機能インジケータを並べた機能選択画面を表示し、
機能選択画面において、ユーザに応じて、複数の機能インジケータの並び順を変えることを特徴とする内視鏡装置の表示方法。
【請求項６】
タッチパネルを設けたディスプレイに対し、表示する機能インジケータをユーザによって変更可能な機能設定画面を表示するとともに、機能設定画面に設定可能な複数の機能インジケータを並べた機能選択画面を表示し、
機能選択画面において、患者とその患者の症状に応じて、複数の機能インジケータの並び順を変えることを特徴とする内視鏡装置の表示方法。
【発明の詳細な説明】
【技術分野】
【０００１】
本発明は、器官などの被写体を撮影する内視鏡装置に関し、特に、ビデオスコープが接続されるプロセッサのタッチパネル画面表示に関する。
【背景技術】
【０００２】
内視鏡装置では、プロセッサのフロント画面にタッチパネルディスプレイを配置し、内視鏡作業に関する操作ボタンを画面上にイメージ表示している。メインメニュー画面には、ランプの消灯ボタン、ポンプのオンオフボタン、自動調光時の明るさレベル調整ボタン、調光方式などが表示されている。医師などのオペレータは、これらボタンをタッチ操作することでランプ点灯、ポンプ駆動を行う（特許文献１参照）。
【０００３】
また、タッチパネルディスプレイのメニュー画面にカスタマイズ可能な機能を設定、表示することが可能であり、オペレータは、複数の機能内容が表示された機能選択画面から所望する機能を選択し、メニュー画面に設定する（特許文献２参照）。
【先行技術文献】
【特許文献】
【０００４】
【特許文献１】特開２００５−３２９１３０号公報
【特許文献２】特開２０１７−４２４１７号公報
【発明の概要】
【発明が解決しようとする課題】
【０００５】
様々な機種のビデオスコープが接続可能であることに伴い、カスタマイズ領域に設定可能な機能インジケータの数も数多くなる。その一方で、フロントパネルに設けられるタッチディスプレイのサイズは、プロセッササイズによって制限される。そのため、機能選択画面では、すべての機能内容を一覧表示することはできない。例えば、スクロール操作などによって画面表示を切り替えるような画面移動を伴う表示を行う必要がある。
【０００６】
しかしながら、ユーザの好み、あるいは患者の症状によって使用頻度の高い機能がある一方、ほとんど使用しない機能も存在する。このため、機能選択画面において、カスタマイズ設定を希望する機能が最初の機能選択画面に表示されず、オペレータは次ページ、あるいは最下層まで所望する機能を探さなければならず、煩雑な作業を伴う。
【０００７】
したがって、機能選択画面から所望の機能を選択するとき、選定作業の負担を軽減することが求められる。
【課題を解決するための手段】
【０００８】
本発明の内視鏡装置は、タッチパネルを設けたディスプレイと、表示する機能インジケータをユーザによって変更可能な機能設定画面を前記ディスプレイに表示するとともに、機能設定画面に設定可能な複数の機能インジケータを並べた機能選択画面を表示可能な表示処理部とを備え、前記表示処理部が、機能選択画面において、ユーザに応じて、複数の機能インジケータの並び順を変える。
【０００９】
本発明の他の態様における内視鏡装置は、タッチパネルを設けたディスプレイと、表示する機能インジケータをユーザによって変更可能な機能設定画面を前記ディスプレイに表示するとともに、機能設定画面に設定可能な複数の機能インジケータを並べた機能選択画面を表示可能な表示処理部とを備える。例えば、前記表示処理部が、複数の機能インジケータを複数ページに渡って表示する。そして前記表示処理部は、機能選択画面において、患者とその患者の症状に応じて、複数の機能インジケータの並び順を変える。
【００１０】
内視鏡装置は、機能設定画面に設定された回数を各機能インジケータに対してカウントする記録部をさらに備えることができる。表示処理部は、カウント数に応じて、複数の機能インジケータの優先度を定め、優先度の高い方順に表示すればよい。
【００１１】
本発明の他の態様における内視鏡装置の表示方法は、タッチパネルを設けたディスプレイに対し、表示する機能インジケータをユーザによって変更可能な機能設定画面を表示するとともに、機能設定画面に設定可能な複数の機能インジケータを並べた機能選択画面を表示し、機能選択画面において、ユーザに応じて、複数の機能インジケータの並び順を変える。
【００１２】
本発明の他の態様である内視鏡装置の表示方法は、タッチパネルを設けたディスプレイに対し、表示する機能インジケータをユーザによって変更可能な機能設定画面を表示するとともに、機能設定画面に設定可能な複数の機能インジケータを並べた機能選択画面を表示し、機能選択画面において、患者とその患者の症状に応じて、複数の機能インジケータの並び順を変える。
【発明の効果】
【００１３】
このように本発明によれば、機能選択画面において、使用したい機能を速やかに選択することができる。
【図面の簡単な説明】
【００１４】
【図１】第１の実施形態である内視鏡装置のブロック図である。
【図２】ディスプレイに表示されるメインのメニュー画面を示した図である。
【図３】サブメニュー画面を示した図である。
【図４】患者を一覧表示したサブメニュー画面を示した図である。
【図５】ランプボタン、ポンプボタンの表示位置切替処理のフローチャートである。
【図６】第２の実施形態におけるカスタマイズで表示する機能インジケータを設定するとともに、その機能インジケータを選ぶ機能選択画面を表示した図である。
【図７】ビデオスコープの種類に応じた機能選択画面の表示を示した図である。
【図８】接続されるビデオスコープと機能優先度との関係を示した図である。
【図９】第３の実施形態におけるカスタマイズ画面を示した図である。
【図１０】機能選択画面を示した図である。
【図１１】ユーザＡのときの機能設定画面を示した図である。
【図１２】ユーザＢのときの機能設定画面を示した図である。
【図１３】ユーザ登録されていないときの機能設定画面を示した図である。
【図１４】癌の症状（以下、症例Ａとする）の検査を受ける患者における機能選択画面を示した図である。
【図１５】胃の検査を受ける患者における機能選択画面を示した図である。
【発明を実施するための形態】
【００１５】
以下では、図面を用いて本実施形態である内視鏡装置について説明する。
【００１６】
図１は、第１の実施形態である内視鏡装置のブロック図である。
【００１７】
内視鏡装置１００は、体内に挿入されるビデオスコープ１０と、ビデオスコープ１０が接続可能なプロセッサ３０とを備え、プロセッサ３０に対してモニタ６０、キーボード７０がそれぞれ接続されている。プロセッサ３０は、キセノンランプなどのランプ４０を備え、ランプ４０から放射された光は、集光レンズ（図示せず）を介してビデオスコープ１０内に設けられたライトガイド（図示せず）の入射端に入射する。ライトガイドから射出した光は、配光レンズ（図示せず）を介してスコープ先端部１０Ｔから被写体に向けて出射する。ランプ４０とライトガイドとの間には絞り４２が設けられている。
【００１８】
被写体で反射した光は、スコープ先端部１０Ｔに設けられた対物レンズ（図示せず）によって結像し、被写体像がイメージセンサ１２の受光面に形成される。ＣＭＯＳセンサ、ＣＣＤなどによって構成されるイメージセンサ１２では、１フィールドあるいは１フレーム分の画素信号が所定の時間間隔（例えば１／６０秒あるいは１／３０秒間隔）で読み出される。イメージセンサ１２の受光面上には、Ｃｙ、Ｙｅ、Ｇ、ＭｇあるいはＲ、Ｇ、Ｂなどのカラーフィルタをマトリクス配列させたカラーフィルタアレイ（図示せず）が配設されている。
【００１９】
信号処理回路１５では、画素信号に対して増幅処理など所定の信号処理が施され、画素信号がプロセッサ３０へ送られる。プロセッサ３０の画像信号処理回路５６では、画素信号に対してホワイトバランス処理、ガンマ補正処理などの画像信号処理が施される。これにより、Ｒ、Ｇ、Ｂの画像信号が生成される。Ｒ，Ｇ，Ｂ画像信号がモニタ６０に出力されることにより、観察画像が動画像としてモニタ６０に表示される。
【００２０】
メインＣＰＵを含むコントローラ５０は、画像信号処理回路５６などへ制御信号を出力し、プロセッサ３０が電源ＯＮ状態である間、プロセッサ３０の動作を制御する。一方、ビデオスコープ１０に設けられたスコープコントローラ１６は、信号処理回路１５に制御信号を出力し、ビデオスコープ１０の動作を制御する。ビデオスコープ１０がプロセッサ３０に接続されると、ビデオスコープ１０内のスコープメモリ（図示せず）から送られてくる機種データに基づき、ビデオスコープ１０の機種（種類）が検出される。
【００２１】
ビデオスコープ１０に設けられたスコープ操作ボタン群１０Ｍのキャプチャーボタンをオペレータが操作すると、静止画像データあるいは動画像データがメモリ５１あるいは外部メモリに記録される。また、ビデオスコープ１０に形成された鉗子チャネルを通じて電気メスを挿通させ、高周波電流を流すことで腫瘍部分の切除などを行うことができる。
【００２２】
プロセッサ３０内のポンプ３２は、タンク３４に貯留される液体をビデオスコープ１０内に設けられた送水チャンネルを経由してスコープ先端部１０Ｔから噴出させる。医師などのオペレータは、スコープ操作ボタン群１０Ｍの送水ボタンを操作することによって、送水することができる。さらに、図示しないバルブを切り替えることによって、スコープ先端部１０Ｔから液体の代わりに気体を送気することができる。
【００２３】
ランプ４０の傍には、特定波長域の光を透過するカラーフィルタが周方向に沿って配置された回転フィルタ（図示せず）が設けられている。特殊光観察モード機能が実行されると、回転フィルタの駆動によって青色、あるいは緑色に応じた狭帯域光によって被写体が照射される。これにより、通常のカラー観察画像とは異なる色合いの観察画像がモニタ６０に表示される。また、ディスプレイ８０にアイコン表示あるいは文字情報で表示される画像強調処理ボタンを操作することによって、モニタ６０に表示される観察画像の輪郭、炎症部分などを強調する画像処理が実行される。
【００２４】
プロセッサ３０の前面には、タッチパネル８５を画面上に配置したディスプレイ８０が設けられている。表示処理回路４５は、メニュー画面、サブメニュー画面などをディスプレイ８０に表示するように表示処理を実行する。ここでは、ディスプレイ８０はＬＣＤによって構成される。
【００２５】
タッチパネル８５は、医師などオペレータの入力操作を検出し、コントローラ５０へ検出信号を出力する。コントローラ５０は、タッチパネル８５から送られてくる接触検知信号に基づいてランプ４０の点灯／消灯、ポンプ３２の駆動／停止を実行する。また、表示処理回路４５は、コントローラ５０から送られてくる接触検知信号に基づいて画面切り替え処理などを実行する。
【００２６】
本実施形態では、ランプ４０の点灯、消灯するための操作ボタンを表すイメージ（インジケータ）と、ポンプ３２を駆動、停止させるための操作ボタンを表すイメージ（インジケータ）が、ディスプレイ８０に常時表示されている。以下、これについて説明する。
【００２７】
図２は、ディスプレイ８０に表示されるメインのメニュー画面を示した図である。図３は、サブメニュー画面を示した図である。
【００２８】
ディスプレイ８０の画面８０Ｓには、ランプのＯＮ／ＯＦＦボタンをイメージで表すインジケータ（以下、ランプボタンという）８１と、ポンプのＯＮ／ＯＦＦボタンをイメージで表すインジケータ（以下、ポンプボタンという）８２が、画面左隅付近の上下方向に沿って並んで表示されている。ランプボタン８１が画面８０Ｓの中央ラインより上の部分に表示され、ポンプボタン８２が中央ラインより下の部分に表示されている。
【００２９】
ランプボタン８１、ポンプボタン８２の隣には、明るさレベル調整用バーをイメージで表すインジケータ８４が表示されるとともに、カラーバランス調整用バーをイメージで表すインジケータ８５が右端に表示されている。さらに画面左上隅には、サブメニュー画面へ切り替えるためのメニュー切り替えを文字情報で表すインジケータ８３と、メインメニュー画面、サブメニュー画面の表示内容設定を実行するためのインジケータ８８が文字情報で表示されている。
【００３０】
医師などオペレータは、アイコン表示されたランプボタン８１に対するタッチ操作によってランプ４０を点灯、消灯することができる。ここでは、押すたびに点灯、消灯が切り替わる。ランプ点灯中、例えばランプボタン８１は発光を表すような明るさレベルで表示され、ランプ消灯になると明るさレベルを低下させる。また、ポンプボタン８２に対するタッチ操作によって、ポンプ３２を駆動、停止させることができる。観察画像の明るさレベル、カラーバランスは、それぞれインジケータ８４、８５に対するタッチ操作することによって調整することができる。
【００３１】
オペレータがサブ画面インジケータ８３をタッチすると、図３に示すサブメニュー画面が表示される。サブメニュー画面では、プロセッサ３０によって実行可能な一連の機能の内容を設定、変更する項目が、画面上下方向に並んで表示される。図３では、ホワイトバランス調整項目８６、調光方式項目８７が表示されている。サブメニュー画面を表示するとき、一連の設定変更可能な機能項目は、ディスプレイ画面８０Ｓのエリアサイズに収まらず、一部項目しか同地表示できない。オペレータは、スクロールバーＳＢを動かすことによって、他の機能に関する項目を閲覧し、設定変更する。
【００３２】
ランプボタン８１、ポンプボタン８２は、サブメニュー画面においても、メインメニュー画面と同じ位置で表示され続ける。内視鏡作業を補助する技師などは、何らかの原因でランプ４０が消灯した場合、ただちにランプ４０を点灯させる必要がある。この場合、サブメニュー画面が表示されていても、ランプボタン８１が表示されているため、メインメニュー画面への切り替えなくランプ４０を１回の操作で点灯させることができる。
【００３３】
また、送気、送水中に作業中断しなければならない状況が生じた場合、技師などが直ぐにポンプ３２を停止させなければならない。このとき、サブメニュー画面においてもポンプボタン８２を操作することでポンプ３２を即停止させることができる。また、ランプボタン８１、ポンプボタン８２は、画面左隅にまとまって表示されていて、オペレータスクロールバーＳＢを動かしても表示され続ける。
【００３４】
図４は、患者を一覧表示したサブメニュー画面を示した図である。ここでは、インジケータ８３を押下することでサブメニュー画面を切り替えることができる。このように異なるサブメニュー画面においてもランプボタン８１、ポンプボタン８２が表示され、どの画面を見ていても必ず表示されるように構成されている。
【００３５】
図５は、ランプボタン８１、ポンプボタン８２の表示位置切替処理のフローチャートである。インジケータ８８を操作して設定項目中のインジケータ切替ボタンを操作することで、処理が開始される。
【００３６】
図２〜４に示すように、ランプボタン８１が画面上側、ポンプボタン８２が画面下側に表示されている状態でインジケータ切替処理が行われると、互いの上下の表示位置が入れ替わる（Ｓ１０１〜Ｓ１０５）。ポンプ３２のインジケータ（ポンプボタン）８２が画面上側、ランプ４０のインジケータ（ランプボタン）８１が画面下側に位置していた場合も、同様に互いの表示位置が入れ替わる。
【００３７】
例えば、プロセッサ３０が内視鏡装置用カート（支持台）に設置された場合、その設置場所は、人間の膝から腰の高さ程の低い位置となることが多い。このとき、意図しないでランプ４０が消灯した場合、ランプボタン８１は手（指）の届きやすい位置に表示されているのが望ましいことから、ランプボタン８１をディスプレイ８０の画面上側に表示すればよい。
【００３８】
一方、プロセッサ３０の設置位置が、人間の肩、頭部以上の位置にある場合、ランプボタン８１をディスプレイ８０の画面下側に表示する方が押しやすい。オペレータは、作業状況に応じてランプボタン８１、ポンプボタン８２の表示位置を設定することができる。また、ランプボタン８１よりもポンプボタン８２の操作を優先させる内視鏡作業状況では、ポンプボタン８２を望ましい位置に表示させればよい。
【００３９】
このように第１の実施形態によれば、タッチパネル８５付のディスプレイ８０を設けたプロセッサ３０において、メインメニュー画面にランプボタン８１、ポンプボタン８２を画面左隅に並べて表示する。そして、サブメニュー画面に切り替わっても、ランプボタン８１、ポンプボタン８２を表示し続ける。
【００４０】
ランプボタン８１もしくはポンプボタン８２いずれか一方を表示するようにしてもよい。また、ランプボタン８１をランプ点灯のみの操作ボタン、ポンプボタン８２をポンプ停止のみの操作ボタンとして構成してもよい。本実施形態では、プロセッサ３０の筐体に設置されたディスプレイ８０にタッチパネル８５を配置させた構成であるが、観察画像を表示するモニタ６０あるいはそれ以外の独立したモニタに対してタッチパネルを配置し、オペレータがタッチ操作するように構成してもよい。この場合、ランプボタン８１を画面下側へ表示した方が操作しやすくなる。
【００４１】
次に、図６〜８を用いて、第２の実施形態である内視鏡装置について説明する。第２の実施形態では、カスタマイズによって表示する機能を選ぶとき、ビデオスコープの機種に応じて機能を並べた機能選択画面を表示する。
【００４２】
図６は、第２の実施形態におけるカスタマイズで表示する機能インジケータを設定するとともに、その機能インジケータを選ぶ機能選択画面を表示した図である。
【００４３】
第２の実施形態では、メインメニュー画面において、オペレータが機能を選択してカスタム領域９２に割り当てることが可能である。例えば、静止画像を記録するためのキャプチャーボタン、狭帯域光による観察を実行するための特殊光観察ボタン、送水を実行するための送水ボタンなどが、インジケータＡ１〜Ａ４の形態でカスタム領域９２に表示される。オペレータは、機能選択画面を表示させ、その中からカスタム領域９２に表示する機能のインジケータを選択することが可能である。
【００４４】
図６に示すように、機能選択画面において選択可能な機能は多数存在し、ここでは８つの機能が選択可能となっている。機能選択画面では、各機能の内容を表す文字情報あるいはイメージ（アイコンなど）がインジケータの形態で並んで表示される。ディスプレイ画面８０Ｓの画像エリアサイズは制限があるため、８つの機能を同時表示することができない。そのため、４つの機能を１ページ目に表示し、タッチ操作などで残りの４つの機能を２ページ目に表示している。ビデオスコープ未接続の状態では、８つの機能インジケータＦ１〜Ｆ８が、あらかじめ定められた順番で２ページに渡り表示される。なお、機能選択画面では、スクロールバーによってスクロール表示する構成にしてもよい。
【００４５】
一方、ビデオスコープ１０がプロセッサ３０に接続されることによってビデオスコープの種類が検知されると、その種類に応じて機能インジケータの並び順を変更する。以下、これについて説明する。
【００４６】
図７は、ビデオスコープの種類に応じた機能選択画面の表示を示した図である。図８は、接続されるビデオスコープと機能優先度との関係を示した図である。
【００４７】
図８に示すように、大腸を観察対象器官とするビデオスコープ（ここでは、スコープＡという）が接続された場合、観察時に使用頻度の高い機能の順番に基づいて、優先度が与えられている。例えば、キャプチャ機能によって観察画像を記録することが多く、また、器官内壁表層の血管を観察する特殊光観察を行うことや、送水によって付着した汚れを除去することも多い。図８には、機能の優先度を相対的な数値で表し、数値が大きいほど優先度が高い。
【００４８】
機能選択画面では、この数値に従って機能インジケータＦ１〜Ｆ８の並び順が定められる。図７に示すように、キャプチャ（画像記録）を示す機能インジケータＦ６が最も左側に表示され、次に、特殊光観察画像を示す機能インジケータＦ２、送水を示す機能インジケータＦ１の順に表示される。一方、電気メス使用を示す機能インジケータＦ８、画像強調処理を示す機能インジケータＦ３は、優先度が低いため、２ページ目に表示される。
【００４９】
一方、呼吸器系を観察対象器官とするビデオスコープ（ここでは、スコープＢという）が接続された場合、スコープＡと同様にキャプチャ機能が最も優先度が高い。一方、炎症具合などを診断するため、画像強調処理の機能の優先度が次に高く、スコープＡとは異なる。そのため、機能選択画面では、機能インジケータＦ６、機能インジケータＦ３、・・・の順で１ページ目に表示される。また、スコープＢでは送水、電気メスは使用できないため、機能インジケータＦ１、Ｆ８は表示されない。
【００５０】
このように第２の実施形態によれば、タッチパネル８５付のディスプレイ８０を設けたプロセッサ３０において、メニュー画面（機能設定画面）のカスタマイズ領域に複数の機能インジケータが表示される。機能設定画面では、接続されているビデオスコープの種類に応じて定められた優先度に従い、優先度の相対的に高い機能インジケータが、機能選択画面の最初のページ（フレーム）内に表示される。
【００５１】
次に、図９〜１５を用いて、第３の実施形態である内視鏡装置について説明する。第３の実施形態では、医師などのオペレータ（以下では、ユーザという）に応じて、機能選択画面の機能インジケータの並び順を設定する。
【００５２】
図９は、第３の実施形態におけるカスタマイズ画面を示した図である。図１０は、機能選択画面を示した図である。
【００５３】
第３の実施形態では、４つの機能インジケータＡ１〜Ａ４がカスタマイズ領域９２に表示可能なカスタマイズ画面を表示することが可能であり、ユーザは機能選択画面から任意の機能インジケータを４つ選択してカスタマイズ領域９２に表示させることができる。デフォルトの機能選択画面では、１６個の機能インジケータＦ１〜Ｆ１６が２ページに渡って表示され、スクロールバーＳＢを移動させることで表示範囲を変更することができる。
【００５４】
ユーザは、キーボード７０を操作することによってユーザ登録することが可能である。本実施形態では、機能インジケータＦ１〜Ｆ１６に関し、ユーザ毎に機能インジケータの優先度を定めており、コントローラ５０は、機能選択画面を表示するとき、ユーザに応じて機能インジケータの並び順を変更する。以下、これについて説明する。
【００５５】
図１１は、下部消化管を専門とするユーザ（以下、ユーザＡという）が内視鏡装置を使用する場合の機能選択画面を示した図である。図１２は、耳鼻咽喉を専門とするユーザ（以下、ユーザＢという）が内視鏡装置を使用する場合の機能選択画面を示した図である。
【００５６】
下部消化管の場合、例えばズーム機能を使用することが多い。一方、耳鼻咽喉の場合、輝度レベルを最大にする最大輝度機能を使用する頻度が高い。ユーザＡ、ユーザＢにとって、使用頻度の高い機能を選択してカスタマイズ画面に設定表示することで、機能設定の効率が上がる。
【００５７】
そこで、ユーザ毎に優先度の高い機能を順に設定し、その順に応じて機能インジケータ１６を順番に並べる。具体的には、ユーザが機能インジケータを選んでカスタマイズ画面に設定表示する度にその数をカウントし（記録し）、そのカウント数によって優先度を定める。
【００５８】
図１１は、ユーザＡのときの機能設定画面を示した図である。ズーム操作するためのインジケータＦ１０が画面左端に表示される。ユーザＡにとって使用頻度の低い、すなわちカスタマイズ画面に設定されない機能については、その機能インジケータ（例えばＦ９）は１ページ目に表示されない。
【００５９】
図１２は、ユーザＢのときの機能設定画面を示した図である。最大輝度機能を実行するためのインジケータＦ９が画面左端に表示される。ユーザＢにとって使用頻度の低い、すなわちカスタマイズ画面に設定されない機能については、その機能インジケータ（例えばＦ１０）は１ページ目に表示されない。
【００６０】
図１３は、ユーザ登録されていないときの機能設定画面を示した図である。ユーザ登録されていない場合、カスタマイズ設定画面の機能インジケータの配置に従って優先度が記憶されていく。
【００６１】
このように第３の実施形態によれば、タッチパネル８５付のディスプレイ８０を設けたプロセッサ３０において、カスタマイズ画面（機能設定画面）に複数の機能インジケータが表示される。機能設定画面では、登録されたユーザに応じて、優先度の高い（使用頻度の高い）機能インジケータが１ページ目に表示される。なお、すでに設定されている機能インジケータを除いた優先度で順に表示してもよい。
【００６２】
次に、図１４、１５を用いて、第４の実施形態について説明する。第４の実施形態では、患者に応じて機能インジケータの優先度を定める。オペレータは、キーボード７０を操作することによって、患者とその症例を関連付けて登録する。そして、患者と症例ごとに、カスタマイズ画面に設定される機能インジケータの設定回数をカウントする。
【００６３】
図１４は、癌の症状（以下、症例Ａとする）の検査を受ける患者における機能選択画面を示した図である。癌治療の場合、強調画像モード（ＴＥ）を設定する頻度が高い。そのため、強調画像モード（ＴＥ）の機能インジケータＦ６が１ページ目の画面左隅に表示される。
【００６４】
図１５は、胃の検査を受ける患者における機能選択画面を示した図である。患者は図１４の患者と同じ人であるとする。胃の検査の場合、画面を明るくするためにランプレベル調整の頻度が高い。そのため、ランプレベル調整の機能インジケータＦ１４が１ページ目の画面左隅に表示される。
【００６５】
このように第４の実施形態によれば、タッチパネル８５付のディスプレイ８０を設けたプロセッサ３０において、カスタマイズ画面（機能設定画面）に複数の機能インジケータが表示される。機能設定画面では、登録された患者の症状に応じて、優先度の高い（使用頻度の高い）機能インジケータが１ページ目に表示される。
【符号の説明】
【００６６】
１０  ビデオスコープ
３０  プロセッサ
４５  表示処理回路
５０  コントローラ
８０  ディスプレイ
８５  タッチパネル
【図１】
2019058501.tif 000003
【図２】
2019058501.tif 000004
【図３】
2019058501.tif 000005
【図４】
2019058501.tif 000006
【図５】
2019058501.tif 000007
【図６】
2019058501.tif 000008
【図７】
2019058501.tif 000009
【図８】
2019058501.tif 000010
【図９】
2019058501.tif 000011
【図１０】
2019058501.tif 000012
【図１１】
2019058501.tif 000013
【図１２】
2019058501.tif 000014
【図１３】
2019058501.tif 000015
【図１４】
2019058501.tif 000016
【図１５】
2019058501.tif 000017